(57)【要約】【課題】洗滌消毒槽を大型化することなく、内視鏡管路の洗滌消毒の信頼性を高めることができるとともに、水切り性が良く、内視鏡管路の洗滌消毒に用いるチューブの接続がしやすいポートを備えた洗滌消毒槽を有する内視鏡洗滌消毒装置を提供する。【解決手段】外表面に開口する管路を内部に備えた内視鏡１００を収容する洗滌消毒槽４と、洗滌消毒槽４に設けられるとともに、該洗滌消毒槽４に収容された内視鏡１００の前記管路の開口３７，３８，４０，４８に接続されて流体を供給するポート部３３，３４，３５と、を具備し、ポート部３３，３４，３５から、前記管路内に供給される流体により、使用済みの内視鏡１００の前記管路を洗滌消毒する内視鏡洗滌消毒装置１において、ポート部３３，３４，３５は、洗滌消毒槽１内に、斜め上方に指向する状態で配設されていることを特徴とする。【選択図】図２
2006223590.tif 000002
【特許請求の範囲】
【請求項１】
外表面に開口する管路を内部に備えた内視鏡を収容する洗滌消毒槽と、
前記洗滌消毒槽に設けられるとともに、該洗滌消毒槽に収容された前記内視鏡の前記管路の前記開口に接続されて流体を供給するポート部と、
を具備し、
前記ポート部から、前記管路内に供給される流体により、使用済みの内視鏡の前記管路を洗滌消毒する内視鏡洗滌消毒装置において、
前記ポート部は、前記洗滌消毒槽内に、斜め上方に指向する状態で配設されていることを特徴とする内視鏡洗滌消毒装置。
【請求項２】
前記ポート部は、前記洗滌消毒槽に収容された前記内視鏡の前記管路の前記開口と、接続手段を介して接続されることを特徴とする請求項１に記載の内視鏡洗滌消毒装置。
【請求項３】
前記ポート部は、前記洗滌消毒槽の操作者用操作位置に対向する側に配設されていることを特徴とする請求項１または２に記載の内視鏡洗滌消毒装置。
【請求項４】
前記洗滌消毒槽は、槽本体と、該槽本体の上方に開口する収容口の外周縁に連続して周設されたテラス部とにより構成されており、前記テラス部に、前記ポート部が配設されていることを特徴とする請求項１〜３のいずれかに記載の内視鏡洗滌消毒装置。
【請求項５】
前記テラス部に、斜め上方に指向する傾斜面と、曲面との一方が設けられており、前記テラス部に設けられた前記傾斜面と前記曲面との一方に、前記ポート部が配設されていることを特徴とする請求項４に記載の内視鏡洗滌消毒装置。
【発明の詳細な説明】
【技術分野】
【０００１】
本発明は、使用済みの内視鏡を自動的に洗滌消毒する内視鏡洗滌消毒装置に関する。
【背景技術】
【０００２】
体腔内の検査や治療の目的に使用される内視鏡は、体腔内に挿入する挿入部の外表面だけでなく、送気送水管路、吸引管路を兼ねる鉗子管路等の各内視鏡管路内にも汚物が付着する。そのため、使用済みの内視鏡は、外表面に限らず、必ず各管路内までも洗滌、消毒する必要がある。
【０００３】
一般に、洗滌消毒装置を用いて内視鏡の洗滌処理、及び消毒処理を行う場合、先ず、装置本体の洗滌消毒槽内に使用済みの内視鏡を収容、セットする。次いで、内視鏡管路内も洗滌消毒するため、洗滌消毒槽に設けられた、内視鏡管路内へ液体及び気体等の流体を供給するためのポートと、内視鏡の外表面に開口する管路接続口とをチューブ等を介して接続する。
【０００４】
次いで、洗滌消毒槽に、蓋体を閉成した後、処理開始スイッチをＯＮする。すると、最初に洗滌工程が開始され、次いで消毒工程が開始される。洗滌工程では、先ず、洗滌消毒槽内に洗滌液が供給される。そして、この洗滌液が所定水位に達した後、洗滌が開始される。洗滌液は循環しており、その水流にて内視鏡の外表面が洗滌される。
【０００５】
また、この際、ポートから吐出された、循環ポンプで吸引した洗滌消毒槽内の洗滌液が、各内視鏡管路内に、チューブ及び管路接続口を介して導入される。このことにより、内視鏡管路内は、導入された洗滌液の水圧により洗滌される。
【０００６】
そして、洗滌工程が終了すると、消毒工程へ移行するが、その前に、所定に濾過された水道水で内視鏡外表面及び管路内の洗滌液を所定に洗い流す。消毒工程へ移行すると、上述した洗滌工程において供給した洗滌液に代えて、所定の濃度に調整された消毒液を洗滌消毒槽に供給する。
【０００７】
また、この際、ポートから吐出された、循環ポンプで吸引した洗滌消毒槽内の消毒液が、各内視鏡管路内に、循環ポンプの水圧によりチューブ及び管路接続口を介して導入される。
【０００８】
内視鏡外表面及び管路内に消毒液が供給された後は、内視鏡を消毒液にしばらくの間浸漬して消毒する。消毒工程が所定に終了した後、所定に濾過された水道水で消毒液を洗い流す。その後、内視鏡外表面、及び内視鏡管路内に空気またはアルコールを供給することにより、内視鏡外表面、及び内視鏡管路内の乾燥を促進させて、一連の工程が終了する。
【０００９】
このように、内視鏡の外表面に限らず、内視鏡管路内までも洗滌消毒するために、内視鏡洗滌槽にポートを設けた洗滌消毒装置は、周知である。例えば特許文献１では、ポートを、洗滌消毒槽の操作者用操作位置の対向側の側壁に水平方向に起立するよう設けた洗滌消毒装置が開示されている。さらには、特許文献２では、ポートを、洗滌消毒槽の上方に開口する内視鏡収容口の外周縁に連続して周設されたテラス部の操作者用操作位置の対向側の上面に、垂直上方に起立するよう設けた洗滌消毒装置が開示されている。
【特許文献１】特開平１１−１５１１９８号公報
【特許文献２】特開平７−８４５４号公報
【発明の開示】
【発明が解決しようとする課題】
【００１０】
ところで、内視鏡管路内を十分に洗滌、消毒するためには、洗滌消毒中、チューブがポートから不意に外れることがないよう、チューブをポートにしっかりとコネクタ等で固定する必要がある。
【００１１】
しかしながら、上述した特許文献１に開示された内視鏡洗滌消毒装置においては、ポートが、内視鏡洗滌槽の槽本体の側壁に水平方向に起立するよう設けられているため、内視鏡を洗滌消毒槽に収容すると、ポートと管路接続口との間の間隔が狭くなり、チューブが折れ曲がりやすくなる。
【００１２】
その結果、チューブによりポートと内視鏡の管路接続口とを接続すると、チューブが途中で座屈して、内視鏡管路に十分な洗滌液、または消毒液が供給できなくなってしまう場合があるばかりか、洗滌消毒中、チューブのコネクタがポートから不意に外れてしまう場合があり、洗滌消毒の信頼性が低下してしまう可能性があった。
【００１３】
このことは、洗滌消毒槽を大きくすることで解決することができるが、近年、洗滌消毒槽は、水や洗滌液及び消毒液の使用量をできるだけ少なくすることにより、洗滌消毒工程時間の短縮を図る目的で小型化が要求されている事情から、洗滌消毒槽を大きくすることは困難である。
【００１４】
ここで、上述した特許文献２に開示された内視鏡洗滌消毒装置においては、ポートが、テラス部の上面に設けられているため、ポートと管路接続口との間の間隔が広がることから、チューブの座屈を防止することはできる。
【００１５】
しかしながら、ポートが、操作者用操作位置の対向側に設けられているため、操作者からポートへのアプローチ距離が遠く、また洗滌消毒槽を閉成するトップカバーとの位置によっては、チューブのコネクタをポートへ接続し難いといった問題があった。さらには、ポートをテラス部の上面に設けると、ポートからチューブのコネクタを取り外す際の液垂れなどによる残液が、テラス部上面にたまり好ましくない。
【００１６】
本発明の目的は、上記問題点に鑑みてなされたものであり、洗滌消毒槽を大型化することなく、内視鏡管路の洗滌消毒の信頼性を高めることができるとともに、水切り性が良く、内視鏡管路の洗滌消毒に用いるチューブの接続がしやすいポートを備えた洗滌消毒槽を有する内視鏡洗滌消毒装置を提供するにある。
【課題を解決するための手段】
【００１７】
上記目的を達成するため本発明による内視鏡洗滌消毒装置は、外表面に開口する管路を内部に備えた内視鏡を収容する洗滌消毒槽と、前記洗滌消毒槽に設けられるとともに、該洗滌消毒槽に収容された前記内視鏡の前記管路の前記開口に接続されて流体を供給するポート部と、を具備し、前記ポート部から、前記管路内に供給される流体により、使用済みの内視鏡の前記管路を洗滌消毒する内視鏡洗滌消毒装置において、前記ポート部は、前記洗滌消毒槽内に、斜め上方に指向する状態で配設されていることを特徴とする。
【発明の効果】
【００１８】
本発明によれば、洗滌消毒槽を大型化することなく、内視鏡管路の洗滌消毒の信頼性を高めることができるとともに、水切り性が良く、内視鏡管路の洗滌消毒に用いるチューブの接続がしやすいポートを備えた洗滌消毒槽を有する内視鏡洗滌装置を提供することができる。
【発明を実施するための最良の形態】
【００１９】
以下、図面を参照して本発明の実施の形態を説明する。  
図１は、本発明の一実施の形態を示す内視鏡洗滌消毒装置の斜視図、図２は、図１のトップカバーが開成され、洗滌消毒槽に内視鏡が収容自在な状態を示す内視鏡洗滌消毒装置の斜視図である。
【００２０】
同図に示すように、内視鏡洗滌消毒装置１は、使用済みの内視鏡１００を洗滌、消毒するための装置であり、洗滌装置本体２と、その上部に、例えば図示しない蝶番を介して開閉自在に接続された蓋体であるトップカバー３とにより、主要部が構成されている。
【００２１】
図１に示すように、トップカバー３が、装置本体２の上部に閉成されている状態では、装置本体２とトップカバー３とは、装置本体２及びトップカバー３の互いに対向する位置に配設された、例えばラッチ８により施錠される構成となっている。
【００２２】
装置本体２の操作者が近接する図中前面（以下、前面と称す）であって、例えば左半部の上部に、洗剤／アルコールトレー１１が、装置本体２の前方へ引き出し自在に配設されている。
【００２３】
洗剤／アルコールトレー１１には、内視鏡１００を洗滌するに際し用いる液体である洗剤が注入されたタンク１１ａ、及び洗滌消毒後の内視鏡１００を乾燥する際に用いられる液体であるアルコールが注入されたタンク１１ｂが収納されており、洗剤／アルコールトレー１１が、引き出し自在なことにより、各タンク１１ａ，１１ｂに、所定に液体が補充できるようになっている。
【００２４】
尚、洗剤／アルコールトレー１１には、窓部１１ｍが設けられており、該窓部１１ｍにより、各タンク１１ａ，１１ｂに注入されている洗剤及びアルコールの残量が操作者によって確認できるようになっている。この洗剤は、給水フィルタにより滅菌処理がされた水道水により所定の濃度に希釈される濃縮洗剤である。本実施の形態では、以下の説明において、前記洗剤と前記水道水との混合液を洗滌液という。
【００２５】
また、装置本体２の前面であって、例えば右半部の上部に、カセットトレー１２が、装置本体２の前方へ引き出し自在に配設されている。カセットトレー１２には、内視鏡１００を消毒する際に用いる、液体である、例えば過酢酸等の消毒液が注入されたボトル１２ａが収納されており、カセットトレー１２が、引き出し自在なことにより、ボトル１２ａに、所定に液体が補充できるようになっている。
【００２６】
さらに、装置本体２の前面であって、カセットトレー１２の上部に、洗滌消毒時間の表示や、消毒液を加温するための指示釦等が配設されたサブ操作パネル１３が配設されている。また、装置本体２の図中前面の下部に、装置本体２の上部に閉成されたトップカバー３を、操作者の踏み込み操作により、図２に示すように、装置本体２の上方に開成するためのペダルスイッチ１４が配設されている。
【００２７】
また、図２に示すように、装置本体２の上面の、例えば操作者が近接する前面側の図中右端寄りに、装置本体２の洗滌，消毒動作スタートスイッチ、及び洗滌，消毒モード選択スイッチ等の設定スイッチ類が配設されたメイン操作パネル２５が設けられている。
【００２８】
また、装置本体２の上面であって、操作者が近接する前面に対向する側に、装置本体２に水道水を供給するための、水道栓に接続されたホースが接続される給水ホース接続口３１が配設されている。尚、給水ホース接続口３１には、水道水を濾過するメッシュフィルタが配設されていてもよい。
【００２９】
さらに、装置本体２の上面の略中央部に、上方に開口する内視鏡収容口をトップカバー３によって開閉される、内視鏡１００が収容自在な洗滌消毒槽４が設けられている。洗滌消毒槽４は、槽本体５０と該槽本体５０の内視鏡収容口の外周縁に連続して周設されたテラス部５１とにより構成されている。
【００３０】
槽本体５０は、使用後の内視鏡１００が洗滌消毒される際、該内視鏡１００が収容自在であり、槽本体５０の槽内の面である底面５０ｔには、槽本体５０に供給された流体である、洗滌液，水，消毒液等を槽本体５０から排水するための排水口５５が設けられている。
【００３１】
また、槽本体５０の槽内の面である周状の側面５０ｓの任意の位置に、槽本体５０に供給された洗滌液，水，消毒液等を、槽本体５０から、後述する手段を介して内視鏡１００の内部に配設された各管路に供給する、またはフィルタ等を介し、後述する給水循環ノズル２４から槽本体５０に再度上記液体を供給するための循環口５６が設けられている。尚、循環口には、洗滌液，水，消毒液等を濾過するフィルタが設けられていても良い。
【００３２】
また、この循環口５６は、槽本体５０の底面５０ｔに設けられていてもよい。循環口５６が槽本体５０の底面５０ｔに設けられていれば、より早く水没するため、内視鏡１００の各管路、または再度槽本体５０への、洗滌液，水，消毒液等の供給タイミングを早めることができる。さらに、使用者が循環口５６に設けられたフィルタ等を交換するに際し、底面に設けられていると、操作者がアプローチしやすくなるといった利点がある。
【００３３】
また、洗滌消毒槽４の槽本体５０の底面５０ｔの略中央には、内視鏡洗滌消毒装置１の図示しない内部の給水管に消毒液を供給し、この給水管を消毒する管路消毒用ポート７が配設されている。
【００３４】
槽本体５０の側面５０ｓの任意の位置に、槽本体５０に供給された洗滌液、水、消毒液等の水位を検出するカバー付き水位センサ３２が設けられている。
【００３５】
洗滌消毒槽４のテラス部５１は、斜め上方に指向する傾斜面、具体的には、槽本体５０の、例えば底面５０ｔに対して、略０°，１８０°及び９０°以外の規定の角度θ傾斜した周状の面（以下、テラス面と称す）５１ｔを有して形成されている。尚、テラス部５１の傾きは、底面５０ｔに限らず、側面５０ｓを基準にしても良い。
【００３６】
また、テラス面５１ｔは、傾斜面に限らず、後述する図６に示すように、斜め上方に指向する曲面、具体的には、接線が、槽本体５０の底面５０ｔに対し、略０°，１８０°及び９０°以外の規定の角度θ傾斜する曲面であっても良い。
【００３７】
テラス部５１のテラス面５１ｔ以外の面、即ち槽本体５０の底面５０ｔと平行な面に、槽本体５０に対し、洗剤タンク１１ａから、図示しないポンプにより、洗滌液を供給するための洗剤ノズル２２及び、図示しない消毒液タンクから、図示しないポンプにより、消毒液を供給するための消毒液ノズル２３が配設されている。
【００３８】
さらに、テラス部５１の槽本体５０の底面５０ｔと平行な面に、槽本体５０に対し、洗滌、あるいはすすぎに使用する水を供給する、または槽本体５０の循環口５６から吸引した洗滌液，水，消毒液等を、再度槽本体５０に供給するための給水循環ノズル２４が配設されている。
【００３９】
尚、洗剤ノズル２２、消毒液ノズル２３及び給水循環ノズル２４は、テラス面５１ｔに配設されていても良い。
【００４０】
また、テラス部５１のテラス面５１ｔの操作者用操作位置４ｋに対向する側の面５１ｆに、内視鏡１００の内部に設けられた後述する管路に、洗滌液，水，アルコール，消毒液、またはエア等の流体を供給するための送気送水／鉗子口用ポート３３と、副送水／副送水／鉗子起上用ポート３４と、漏水検知用ポート３５とが配設されている。
【００４１】
詳しくは、図３に、図２のテラス部５１に、内視鏡１００の内部の管路へ洗滌液，水，アルコール，消毒液等を供給するためのポート３３を設けた構成を示す部分拡大断面図を示すが、同図に示すように、斜め上方に指向する傾斜面、具体的には、槽本体５０の底面５０ｔに対し、略０°，１８０°及び９０°以外の規定の角度θ傾斜するよう形成されたテラス面５１ｔの操作者用操作位置４ｋに対向する側の面５１ｆに、送気送水／鉗子口用ポート３３が２つ配設されている。
【００４２】
言い換えれば、送気送水／鉗子口用ポート３３は、テラス部５１の操作者用操作位置４ｋに対向する側の面５１ｆに、斜め上方に指向する状態で、具体的には、槽本体の底面５０ｔに対して、略０°，１８０°及び９０°以外の規定の角度θを有して傾斜して配設されている。その結果、ポート３３は、操作者２００に対向するように配設されている。尚、送気送水／鉗子口用ポート３３の傾きの基準は、底面５０ｔに限定されず、側面５０ｓを基準としてもよい。
【００４３】
また、送気送水／鉗子口用ポート３３は、２つに限定されない。さらに、図３では図示しないが、副送水／鉗子起上用ポート３４及び漏水検知用ポート３５も、テラス面５１ｔの操作者用操作位置４ｋに対向する側の面５１ｆに、斜め上方に指向する状態で、操作者２００に対向するよう、副送水／鉗子起上用ポート３４は１つ、漏水検知用ポート３５は２つ配設されている。尚、副送水／鉗子起上用ポート３４は１つ、漏水検知用ポート３５は２つに限定されないことも勿論である。
【００４４】
送気送水／鉗子口用ポート３３は、槽本体５０に設けられた循環口５６と、図示しないポンプ等を介して接続されている。また、送気送水／鉗子口用ポート３３は、装置本体２に配設された図示しないコンプレッサとも接続されている。
【００４５】
使用済みの内視鏡１００が、洗滌消毒槽４に収容された際、２つの送気送水／鉗子口用ポート３３には、一端が、内視鏡１００の内部に配設された送気送水／吸引用管路の外表面の管路接続口（以下、単に開口と称す）３７，３８、または処置具挿通用管路の外表面の開口４０（いずれも図２参照）に接続された、接続手段であるチューブ（以下、単にチューブと称す）１５０の他端のコネクタ１５１がそれぞれ接続されるようになっている。尚、チューブ１５０は、例えばシリコンにより形成されている。
【００４６】
即ち、２つの送気送水／鉗子口用ポート３３は、チューブ１５０を介して、内視鏡１００の内部に配設された送気送水／吸引用管路の外表面の開口３７，３８、または処置具挿通用管路の外表面の開口４０と接続される。尚、この際、２つのポート３３と、開口３７，３８、または開口４０とは、分岐チューブを用いるなどして、１対１で接続しなくても良い。
【００４７】
このような接続により、送気送水／鉗子口用ポート３３は、槽本体５０から循環口５６より吸引した洗滌液，水，消毒液等、または装置本体２のコンプレッサから送気されたエアを、コネクタ１５１、チューブ１５０、開口３７，３８，４０を介して、内視鏡１００の送気送水／吸引用管路及び処置具挿通用管路に送気送水する。その結果、内視鏡１００の各管路内は、洗滌、消毒、すすぎ、乾燥等がなされる。
【００４８】
また、副送水／鉗子起上用ポート３４は、槽本体５０に設けられた循環口５６と、図示しないポンプ等を介して接続されている。また、副送水／鉗子起上用ポート３４は、装置本体２に配設された図示しないコンプレッサとも接続されている。
【００４９】
使用済みの内視鏡１００が、洗滌消毒槽４に収容された際、副送水／鉗子起上用ポート３４にも、一端が、内視鏡１００の内部に配設された副送水／鉗子起上用管路の外表面の開口４８（図２参照）に接続された、チューブ１５０の他端のコネクタ１５１が接続されるようになっている。
【００５０】
即ち、副送水／鉗子起上用ポート３４は、チューブ１５０を介して、内視鏡１００の内部に配設された副送水／鉗子起上用管路の外表面の開口４８と接続される。尚、このチューブ１５１及びコネクタ１５１は、ポート３３と開口３７，３８または４０とを接続するチューブ１５１及びコネクタ１５１とは、別体のものである。
【００５１】
このことにより、副送水／鉗子起上用ポート３４は、槽本体５０から循環口５６より吸引した洗滌液，水，消毒液等、または装置本体２のコンプレッサから送気されたエアを、コネクタ１５１、チューブ１５０、開口４８を介して、内視鏡１００の副送水／鉗子起上用管路に送気送水する。その結果、内視鏡１００の副送水／鉗子起上用管路内は、洗滌、消毒、すすぎ、乾燥等がなされる。
【００５２】
さらに、漏水検知用ポート３５は、装置本体２に配設された、図示しない漏水検知ポンプと接続されている。使用済みの内視鏡１００が、洗滌消毒槽４に収容された際、漏水検知用ポート３５にも、一端が、内視鏡１００の内部にエアを送りこむための検知口金３９（図２参照）に単独で接続された、接続手段であるチューブ１５０の他端のコネクタ１５１が接続されるようになっている。
【００５３】
即ち、漏水検知用ポート３５は、チューブ１５０を介して、内視鏡１００の内部にエアを送りこむための検知口金３９と接続される。尚、このチューブ１５０及びコネクタ１５１も、ポート３３と開口３７，３８または４０とを接続するチューブ１５０及びコネクタ１５１や、ポート３４と開口４８とを接続するチューブ１５０及びコネクタ１５１とは、別体のものである。
【００５４】
このことにより、漏水検知用ポート３５は、内視鏡１００の内部に漏水検知ポンプから自動的にエアを供給することにより、内視鏡１００の外表面に小さな孔、亀裂等が開いているか否かの検知を行う。
【００５５】
尚、内視鏡１００には、色々な形状を有するものがあるため、チューブ１５０を用いた上述した２つの送気送水／鉗子口用ポート３３と送気送水／吸引用管路の外表面の開口３７，３８との接続や、副送水／鉗子起上用ポート３４と副送水／鉗子起上用管路の外表面の開口４８との接続や、漏水検知用ポート３５と検知口金３９との接続は、代表的な例の一つであり、このような接続態様で限定されないことは勿論である。
【００５６】
また、その他の内視鏡洗滌消毒装置１の詳しい構成は、従来のものと同様であるため、その説明は省略する。
【００５７】
次に、このように構成された内視鏡洗滌消毒装置１の作用について説明する。図４は、図３のポートが、槽本体の側面に水平方向に起立するよう設けられている従来の内視鏡洗滌槽の構成を示す部分拡大断面図、図５は、図３のポートが、槽本体の底面と平行なテラス部の面に垂直方向に起立するよう設けられている従来の内視鏡洗滌槽の構成を示す部分拡大断面図である。
【００５８】
尚、内視鏡洗滌消毒装置１の作用は、内視鏡１００の各管路内を洗滌消毒するにあたり、チューブ１５０を、各ポート３３，３４，３５に接続する際の作用以外は、周知であるため、その詳細な説明は省略する。
【００５９】
また、ここでは、２つの送気送水／鉗子口用ポート３３と送気送水／吸引用管路の外表面の開口３７，３８、または処置具挿通用管路の外表面の開口４０をチューブ１５０を用いて接続する場合、副送水／鉗子起上用ポート３４と副送水／鉗子起上用管路の外表面の開口４８とをチューブ１５０を用いて接続する場合、漏水検知用ポート３５と検知口金３９とをチューブ１５０を用いて接続する場合を、例に挙げて説明する。
【００６０】
内視鏡検査を終了した使用済みの内視鏡１００を洗滌消毒するに際しては、先ず、装置本体２のペダルスイッチ１４の操作者の踏み込み操作により、トップカバー３を、装置本体２の上方に開成した後、１本または２本の内視鏡１００を洗滌消毒槽４の槽本体５０に収容する。
【００６１】
その後、内視鏡１００の内部に配設された送気送水／吸引用管路及び処置具挿通用管路を洗滌消毒するため、送気送水／鉗子口用ポート３３に、一端が、送気送水／吸引用管路の外表面の開口３７，３８、または処置具挿通用管路の外表面の開口４０（いずれも図２参照）に接続されたチューブ１５０の他端のコネクタ１５１を接続する。
【００６２】
また、その後、内視鏡１００の内部に配設された副送水／鉗子起上用管路を洗滌消毒するため、副送水／鉗子起上用ポート３４に、一端が、内視鏡１００の内部に配設された副送水／鉗子起上用管路の外表面の開口４８（図２参照）に単独で接続された、チューブ１５０の他端のコネクタ１５１を接続する。
【００６３】
さらに、その後、内視鏡１００の外表面に小さな孔、亀裂等が開いているか否かの検知を行うため、漏水検知用ポート３５に、一端が、内視鏡１００の内部にエアを送りこむための検知口金３９（図２参照）に単独で接続された、チューブ１５０の他端のコネクタ１５１を接続する。
【００６４】
ここで、本実施の形態においては、送気送水／鉗子口用ポート３３、副送水／鉗子起上用ポート３４及び漏水検知用ポート３５は、斜め上方に指向する傾斜面、具体的には、槽本体５０の底面５０ｔに対し、略０°，１８０°及び９０°以外の規定の角度θ傾斜するよう形成されたテラス面５１ｔの操作者用操作位置４ｋに対向する側の面５１ｆに設けられている。
【００６５】
このことから、内視鏡１００の各開口３７，３８，４０，４８と、各ポート３３，３４，３５とは十分離間するため、チューブ１５０を折り曲げるような力が作用しない。よって、図４に示すように、各ポート３３，３４，３５が、洗滌消毒槽４の槽本体５０の側面５０ｓに水平方向に起立するよう設けられている、即ち槽本体５０の底面５０ｔに対し、略９０°傾斜するよう設けられたときのように、各開口３７，３８，４０，４８と、各ポート３３，３４，３５とが近接し、チューブ１５０が途中で座屈してしまうことがない。
【００６６】
また、送気送水／鉗子口用ポート３３、副送水／鉗子起上用ポート３４及び漏水検知用ポート３５は、操作者２００に対向するよう設けられている。よって、チューブ１５０のコネクタ１５１を、各ポート３３，３４，３５に接続するに際し、各ポート３３，３４，３５が、テラス面５１ｔの操作者用操作位置４ｋの対向側の面５１ｆに設けられていたとしても、図４に示す、槽本体５０の底面５０ｔに対し、略９０°傾斜するよう設けられたとき、及び図５に示す、槽本体５０の底面５０ｔに対し、略０°（１８０°）傾斜するよう設けられたときと比して、トップカバー３の位置に関わらず、各ポート３３，３４，３５に、コネクタ１５１を容易に接続できる。
【００６７】
尚、各ポート３３，３４，３５へのコネクタ１５１接続後の、内視鏡１００の外表面及び内視鏡１００の内部に配設された各管路内の洗滌消毒処理動作は、周知であるため、その説明は省略する。
【００６８】
内視鏡１００の外表面及び内部の各管路内の洗滌消毒、乾燥が終了した後、送気送水／鉗子口用ポート３３、副送水／鉗子起上用ポート３４からチューブ１５０のコネクタ１５１を抜去する。
【００６９】
該抜去に際し、各ポート３３，３４が、図５に示すように、槽本体５０の水平な底面５０ｔに対し、略０°（１８０°）傾斜するよう設けられていると、言い換えれば、槽本体５０の底面５０ｔと略平行な、操作者用操作位置４ｋの対向側の面５１ｆに、垂直方向上方に起立するよう設けられていると、洗滌消毒工程終了後の残水やコネクタ１５１抜去の際等に、液垂れした液１３０が、面５１ｆ及び各ポート３３，３４の上面に残留してしまい好ましくない。
【００７０】
しかしながら、本実施の形態では、送気送水／鉗子口用ポート３３及び副送水／鉗子起上用ポート３４は、槽本体５０の底面５０ｔに対し、略０°，１８０°及び９０°以外の規定の角度θ傾斜するよう形成されたテラス面５１ｔに設けられているため、洗滌消毒終了後はこのテラス上面に残水はなく、コネクタ１５１抜去の際、液垂れが発生したとしても、該液１３０は、槽本体５０に流れて排水しやすいようになっている。
【００７１】
尚、その後の処理は、周知であるため、その詳しい説明は省略する。
【００７２】
このように、本発明の一実施の形態を示す内視鏡洗滌消毒装置１においては、内視鏡１００の内部に配設された各管路を洗滌消毒するに際し、チューブ１５０のコネクタ１５１が接続される、送気送水／鉗子口用ポート３３、副送水／鉗子起上用ポート３４及び漏水検知用ポート３５は、槽本体５０の底面５０ｔに対し、略０°，１８０°及び９０°以外の規定の角度θ傾斜するよう形成されたテラス面５１ｔの、操作者用操作位置４ｋに対向する側の面５１ｆに設けられていると示した。
【００７３】
このことにより、内視鏡１００を洗滌消毒槽４の槽本体５０に収容し、内視鏡１００の各開口３７，３８，４０，４８と、各ポート３３，３４，３５とを、それぞれチューブで接続した際、内視鏡１００を２本収容したとしても、洗滌消毒槽４を大型化することなく内視鏡１００の各開口３７，３８，４０，４８と、各ポート３３，３４，３５とは十分離間するため、チューブ１５０を折り曲げるような力が作用しない。
【００７４】
よって、チューブが途中で座屈しまうことに起因して、各内視鏡管路に十分な洗滌液、または消毒液等が供給できなくなってしまうこと、及び洗滌消毒中、チューブのコネクタがポートから不意に外れてしまうことを、洗滌消毒槽４を大型化することなく防ぐことができる。
【００７５】
このことから、内視鏡を洗滌消毒槽４に１本のみならず、２本収容したとしても、１本収容を想定した洗滌消毒槽４を大型化することなく洗滌消毒の信頼性を高めることができる。
【００７６】
また、送気送水／鉗子口用ポート３３、副送水／鉗子起上用ポート３４及び漏水検知用ポート３５は、操作者２００に対向するよう設けられている。よって、チューブ１５０のコネクタ１５１を、各ポート３３，３４，３５に接続するに際し、各ポート３３，３４，３５が、テラス面５１ｔの、操作者用操作位置４ｋの対向側の面５１ｆに設けられていたとしても、各ポート３３，３４，３５にアプローチがしやすい。よって、コネクタ１５１を各ポート３３，３４，３５に接続する力を逃がすことなく、容易に、コネクタ１５１を接続することができる。
【００７７】
さらには、送気送水／鉗子口用ポート３３、副送水／鉗子起上用ポート３４は、槽本体５０の底面５０ｔに対し、略０°，１８０°及び９０°以外の規定の角度θ傾斜するよう形成されたテラス面５１ｔに設けられているため、コネクタ１５１抜去の際、液垂れが発生したとしても、該液１３０は、槽本体５０に流れる。
【００７８】
よって、液１３０が、テラス部５１及び各ポート３３，３４の上面に残留してしまうことがないことから、水切り性が良く衛生的な洗滌消毒槽４を実現することができる。
【００７９】
以下、本実施の形態の変形例を示す。図６は、図３のポートを洗滌消毒槽の他の面に配設した変形例を示す部分拡大断面図、図７は、図３のポートを槽本体の底面と平行なテラス部の面に配設した後、テラス部と槽本体との間に水はけ手段を設けた変形例を示す部分拡大断面図である。
【００８０】
本実施の形態においては、送気送水／鉗子口用ポート３３、副送水／鉗子起上用ポート３４及び漏水検知用ポート３５は、槽本体５０の底面５０ｔに対し、略０°，１８０°及び９０°以外の規定の角度θ傾斜するよう形成されたテラス面５１ｔの、操作者用操作位置４ｋに対向する側の面５１ｆに設けられていると示した。
【００８１】
これに限らず、送気送水／鉗子口用ポート３３、副送水／鉗子起上用ポート３４及び漏水検知用ポート３５は、テラス部５１の操作者用操作位置４ｋに対向する側の面５１ｆであって、槽本体の底面５０ｔに対して、０°，１８０°及び９０°以外の規定の角度θを有して傾斜して配設されるのであれば、図６に示すように、接線が規定の角度θ傾斜する曲面を有するテラス面５１ｔに配設しても良い。
【００８２】
また、送気送水／鉗子口用ポート３３、副送水／鉗子起上用ポート３４及び漏水検知用ポート３５は、槽本体の底面５０ｔに対して、０°，１８０°及び９０°以外の規定の角度θを有して傾斜して配設されるのであれば、洗滌消毒槽４の水切り性のみを考慮し、コネクタ１５１の接続性の向上を無視すれば、テラス部５１の操作者用操作位置４ｋに対向する側の面５１ｆに限定されず、テラス面５１ｔのどの面に設けても良い。
【００８３】
さらに、送気送水／鉗子口用ポート３３、副送水／鉗子起上用ポート３４及び漏水検知用ポート３５は、斜め上方に指向する状態で、具体的には、槽本体の底面５０ｔに対して、０°，１８０°及び９０°以外の規定の角度θを有して傾斜して配設されるのであれば、コネクタ１５１の接続性のみを考慮し、洗滌消毒槽４の水切り性を無視すれば、規定の角度θ傾斜したテラス面５１ｔに限らず、図６に示すように、操作者用操作位置４ｋに対向する側のテラス面５１ｔ以外のテラス部５１に配設してもよく、さらには、テラス部５１に限定されず、槽本体５０の側面５０ｓに配設しても良い。
【００８４】
また、図７に示すように、送気送水／鉗子口用ポート３３、副送水／鉗子起上用ポート３４及び漏水検知用ポート３５を、規定の角度θ傾斜したテラス面５１ｔに設けない場合、即ち槽本体の底面５０ｔに対して、０°，１８０°の角度を有するテラス部５１の面に設けた場合、テラス部５１の操作者用操作位置４ｋに対向する側の面５１ｆと、槽本体５０の側面との間に、規定の角度θ傾斜した水抜き溝等の水はけ手段１４０を設ければ、本実施の形態と同様の効果を得ることができる。
【００８５】
図８は、送気送水／鉗子口用ポートと、チューブのコネクタとの接続前の状態を示す分解斜視図、図９は、送気送水／鉗子口用ポートと、チューブのコネクタとの接続後の状態を示す断面図である。
【００８６】
ところで、図８、図９に示すように、例えば送気送水／鉗子口用ポート３３は、略円筒形状に形成されている。また、送気送水／鉗子口用ポート３３の基端部側の外周には、円盤状の外向フランジ３３ｆが形成されており、さらに、コネクタ１５１が接続される先端側の外周には、接続後のポート３３と、コネクタ１５１とを水密に保つＯリング３３ｇが嵌合されている。
【００８７】
さらに、送気送水／鉗子口用ポート３３の内部は、図９に示すように、肉厚に形成されており、該内部に、Ｏリング３３ｐを介して供給弁３３ｂが配設されている。尚、図９では、Ｏリング３３ｐが、送気送水／鉗子口用ポート３３の内部から離間した状態を示している。また、供給弁３３ｂの底部と、送気送水／鉗子口用ポート３３の内部に形成された底面との間には、バネ２３３が配設されている。
【００８８】
よって、供給弁３３ｂは、送気送水／鉗子口用ポート３３の内部の底面に、バネ２３３を介して支持されることから、送気送水／鉗子口用ポート３３の内部の内壁を、先端側と基端側を結ぶ方向に摺動自在となるよう配設されている。また、供給弁３３ｂの先端部と、送気送水／鉗子口用ポート３３の先端面との間には、供給弁３３ｂの先端部が外方に露出するよう、孔部３３ｈが形成されている。尚、副送水／鉗子起上用ポート３４及び漏水検知用ポート３５も同様の構成を有している。
【００８９】
このように構成された送気送水／鉗子口用ポート３３に、チューブ１５０のコネクタ１５１を接続すると、図８、図９に示すように、コネクタ１５１の下部に形成されたハット状の溝部の内周が、ポート３３の外周に形成されたＯリング３３ｇを介して、ポート３３の外周に水密的に嵌合される。
【００９０】
また、この際、コネクタ１５１の図８中の溝部内の中心に下方に延出するよう形成された押しピン１５１ｆが、ポート３３の流路を構成する孔部３３ｈに嵌入して、バネ２３３によって、ポート３３の内部の底面に支持された供給弁３３ｂを押圧した結果、Ｏリング３３ｐは、ポート３３の内部から離間し、孔部３３ｈと供給弁３３ｂとの間に間隙が生じる。
【００９１】
このことにより、ポート３３から、チューブ１５０のコネクタ１５１を介して内視鏡１００の各管路に、洗滌液，水，アルコール，消毒液、またはエア等が供給されるようになっている。尚、副送水／鉗子起上用ポート３４に、洗滌液，水，アルコール，消毒液、またはエア等を供給する場合、及び漏水検知用ポート３５にエアを供給する場合も同様の構成となっている。
【００９２】
このように、内視鏡１００の各管路に、洗滌液，水，アルコール，消毒液、またはエア等を供給するに際し、チューブ１５０のコネクタ１５１を各ポート３３，３４，３５にそれぞれ接続する場合、洗滌消毒の信頼性を高めるため、洗滌消毒中は、コネクタ１５１が、各ポート３３，３４，３５から不意に外れることがないよう、各コネクタ１５１を、各ポート３３，３４，３５に、それぞれ固定する必要がある。
【００９３】
そこで、従来は、ポートへの装着、脱却性の容易性を考慮して、コネクタ１５１の外周に爪部を１つ設け、該爪部を、例えば送気送水／鉗子口用ポート３３の場合は、外向フランジ３３ｆに係止させることにより、洗滌消毒中、コネクタ１５１が、各ポート３３，３４，３５から不意に外れることがないようにした技術が提案されており、このような１つの爪部を有するコネクタ１５１は、実用化されている。
【００９４】
しかしながら、このように、１つの爪で各ポート３３，３４，３５にそれぞれコネクタ１５１を接続すると、例えばポート３３の場合では、コネクタ１５１の１つの爪部のみで、ポート３３の外向フランジ３３ｆに係止された結果、係止のバランスが悪くなり、Ｏリング３３ｇによるシール性が低下するばかりか、洗滌消毒中に、何らかの要因でコネクタ１５１に脱却方向の力が作用すると、該係止された１つの爪部を支点とし、コネクタ１５１がポート３３から不意に外れてしまう可能性があった。その結果、内視鏡１００の各管路の洗滌消毒性の信頼性が低下してしまうといった問題があった。
【００９５】
また、コネクタ１５１を、例えばポート３３から脱却するに際し、従来は、操作者は、コネクタ１５１の胴体を握りながら、１つの爪部の摘み部を摘んでポート３３から脱却していたが、爪部が１つであるため、摘み難く、脱却し難いといった問題があった。
【００９６】
そこで、上述した問題に鑑み、本実施の形態においては、コネクタ１５１の外周の各々が対向する位置に、図８、図９に示すように、爪部１５１ｔを２つ設けた。このことにより、コネクタ１５１を、例えば送気送水／鉗子口用ポート３３に接続した場合、コネクタ１５１の２つの爪部１５１ｔは、図９に示すように、ポート３３の外向フランジ３３ｆに２点で係止される。
【００９７】
よって、コネクタ１５１のポート３３に対する係止のバランスが均等となるため、コネクタ１５１とポート３３との間のＯリング３３ｇによるシール性が向上するばかりか、洗滌消毒中に、何らかの要因でコネクタ１５１に脱却方向の力が作用したとしても、コネクタ１５１がポート３３から不意に脱却し難くなることから、内視鏡１００の管路の洗滌消毒性の信頼性の低下を防止することができる。即ち向上する。
【００９８】
また、コネクタ１５１を、ポート３３から脱却するに際し、操作者は、互いに対向する２つの爪部１５１ｔの２つの摘み部１５１ｔｈを摘むのみで、ワンタッチで抜去することができることから、コネクタ１５１のポート３３からの脱却性が向上する。
【００９９】
尚、以上のことは、副送水／鉗子起上用ポート３４及び漏水検知用ポート３５に適用する場合でも同様である。
【０１００】
また、図８、図９においては、爪部１５１ｔは、２つであると示したが、これに限らず、２つ以上であれば、いくつコネクタ１５１の外周に設けても良い。さらには、爪部をコネクタ１５１の外周に、接続後、ポートの外向フランジを周状に係止するよう、周状に設けてもよい。
【０１０１】
図１０は、内視鏡洗滌装置から側壁を脱却した状態を示す分解斜視図、図１１は、図１０の側壁を内視鏡洗滌消毒装置に装着した際の、内視鏡洗滌消毒装置上部における部分拡大断面図、図１２は、図１０の側壁を内視鏡洗滌消毒装置に装着した際の、側壁に設けられた係止部材付近の部分拡大断面図である。
【０１０２】
ところで、図１０に示すように、内視鏡洗滌消毒装置１の、箱状の装置本体２は、例えば４本の装置本体２の高さ方向に延出する支柱（以下、縦支柱と称す）と、該４本の縦支柱を連結する８本の支柱（以下、横支柱と称す）に、装置本体２の前面または後面側となる位置に、上述したように、洗剤／アルコールトレー１１、カセットトレー１２等を引き出し自在に取り付け、装置本体２の互いに対向する左右の側面側の位置に、２枚の側壁を、縦支柱及び横支柱に、例えばネジで取り付けることにより形成するのが一般的である。
【０１０３】
ここで、例えば装置本体２の、図１０中右側に配設された２本の縦支柱と、該２本の縦支柱を連結する上下に配設された２本の横支柱に、右側壁を取り付ける際は、従来、作業者は、先ず、右側壁を把持し、次いで、図１１に示すように、右側壁３０１の上部３０１ｊを、上側の横支柱に形成された溝１ｍに嵌入させて、４本の支柱に対し右側壁３０１の位置合わせをする。
【０１０４】
次いで４本の支柱に形成された複数のネジ孔と、右側壁３０１に形成された複数のネジ孔との位置を、右側壁３０１を作業者の手や足で押さえた状態で一致させ、最後に、一致させたネジ孔に、ネジを螺合することにより、右側壁３０１を４本の支柱に取り付けていた。
【０１０５】
尚、このことは、装置本体２の、図１０中左側に配設された２本の縦支柱と、該２本の縦支柱を連結する上下に配設された２本の横支柱に、右側壁に対向する左側壁を取り付ける場合であっても同様である。
【０１０６】
しかしながら、従来の取り付け方では、作業者は、右側壁３０１の脱落を防ぐため、側壁３０１を作業者の手や足で押さえた状態でネジ止めを行っていたため、組み立て性及び修理性が悪いといった問題があった。
【０１０７】
また、修理等の際、ネジを装置本体２から全て外してしまうと、側壁３０１が４本の支柱から脱落してしまい、作業がし難いといった問題の他、右側壁のネジ孔に残存するネジが、右側壁３０１の脱落により飛散し、紛失してしまう場合もあった。尚、これらのことは、左側壁を取り外す際も同様である。
【０１０８】
このような問題に鑑み、図１０に示す内視鏡洗滌消毒装置１では、装置本体２の右側の２本の縦支柱の、例えば高さ方向中央の下寄りに、２本の縦支柱を連結する１本の横支柱１０１を接続した。尚、横支柱１０１は、高さ方向中央下寄りに限定されない。また、横支柱１０１の各縦支柱よりには、装置本体２を把持するためのにぎり棒が挿通する孔１０１ｎが２つ形成されている。
【０１０９】
また、右側壁３０１の取り付け面３０１ｆに、取り付け後、横支柱１０１の上部１０１ｊに下面３１０ｋが戴置される高さ方向の位置に、２つのＬ字状の係止部材３１０を設けた。
【０１１０】
尚、右側壁３０１の２つのＬ字状の係止部材３１０の下方には、取り付け後、横支柱１０１に形成された孔１０１ｎに一致する、装置本体２を把持するためのにぎり棒が挿通する孔３０１ｎが２つ形成されている。
【０１１１】
次に、このような構成を有する内視鏡洗滌消毒装置の作用について説明する。
【０１１２】
装置本体２の右側に配設された２本の縦支柱と、該２本の縦支柱を連結する上下に配設された２本の横支柱に、１枚の右側壁を取り付ける際は、作業者は、先ず、右側壁３０１を把持し、次いで、従来と同じように、図１１に示すように、右側壁３０１の上部３０１ｊを、上側の横支柱に形成された溝１ｍに嵌入させて、４本の支柱に対し右側壁３０１の位置合わせをする。
【０１１３】
この際、右側壁３０１の取り付け面３０１ｆに配設された２つの係止部材３１０の下面３１０ｋは、図１２に示すように、装置本体２の２本の縦支柱を連結する横支柱１０１の上部１０１ｊに戴置される。また、この状態では、４本の支柱に形成された複数のネジ孔１ｈと、右側壁３０１に形成された複数のネジ孔３０１ｈとの位置が略一致している。
【０１１４】
最後に、一致させたネジ孔１ｈ，３０１ｈにネジを螺合することにより、右側壁３０１を４本の支柱に取り付ける。
【０１１５】
このような構成によれば、右側壁３０１の上部３０１ｊを、上側の横支柱に形成された溝１ｍに嵌入させた時点で、作業者が右側壁３０１から手を離しても、右側壁３０１の取り付け面３０１ｆに配設された２つの係止部材３１０により、右側壁３０１が装置本体２から脱落することがないため、組み立て性及び修理性が向上する。
【０１１６】
また、修理等の際、ネジ孔１ｈ，３０１ｈから全てネジを外したとしても、２つの係止部材３１０により、右側壁３０１が脱落しないため、作業性が向上する。また、右側壁３０１が脱落しないので、右側壁３０１のネジ孔３０１ｈに残存するネジが、飛散することがないことから、ネジの紛失を防止することができる。
【０１１７】
尚、このことは、装置本体２の、図１０中左側に配設された２本の縦支柱と、該２本の縦支柱を連結する上下に配設された２本の横支柱に、右側壁３０１に対向する左側壁を取り付ける、または取り外す場合であっても同様である。
【０１１８】
また、側壁が装置本体２から脱落しないための係止部材３１０は、Ｌ字型に限定されず、さらには、係止部材３１０を戴置する手段は、横支柱１０１に限定されない。即ち、装置本体から側壁の脱落が防止できるようなものであれば、どのようなものを、側壁の取り付け面及び装置本体に設けても良い。
【０１１９】
図１３は、洗滌消毒槽の下面に、ヒータ及び断熱材を配設した例を示す断面図、図１４は、図１３のヒータ及び断熱材を抽出して示した分解斜視図である。
【０１２０】
ところで、洗滌消毒槽４に、消毒液ノズル２３（図２参照）から供給された消毒液は、一般に、消毒液が過酢酸の場合、２０℃〜２５℃の液温で使用するのが望ましいとされる。このことから、洗滌消毒槽４の底面には、消毒液を加温するヒータが配設されるのが一般的である。
【０１２１】
よって、例えば寒冷地等で内視鏡洗滌消毒装置１を使用する際は、洗滌消毒槽４に、過酢酸（以下、単に消毒液と称す）を供給した後は、上述したサブ操作パネル１３（図１参照）を操作することによって、ヒータを加熱させ、洗滌消毒槽４に供給された消毒液の温度を２０℃〜２５℃にしてから、内視鏡１００の消毒を行っているのが実情である。
【０１２２】
しかしながら、従来の構成では、ヒータが発熱した際、ヒータの洗滌消毒槽の底面に固定される加温面とは反対側の面から、ヒータの熱が放熱してしまうため、効率良く消毒液を加温出来ず、加温に要する時間が長くなってしまうといった欠点があった。
【０１２３】
このような問題に鑑み、図１３に示す内視鏡洗滌消毒装置１では、先ず、洗滌消毒槽４の底面に、ヒータ４１０の加温面４１０ｋが、熱伝導率が高い接着効果を有する薬剤、例えばコンパウンド４５０を介して、密着して貼着されている。尚、接着に用いる薬剤は、熱伝導率が高いもので、接着効果があるものであれば、コンパウンドに限定されない。
【０１２４】
また、図１４に示すように、ヒータ４１０の加温面４１０ｋと反対側の面４１０ｒに、例えばシリコン系のゴムにより構成された断熱材４２０の貼着面４２０ｋが、熱伝導率が高いコンパウンド４５０を介して、密着して貼着されている。
【０１２５】
このように密着されたヒータ４１０及び断熱材４２０は、下方から固定板４０７によって、洗滌消毒槽４の底面から下方に突出した２本のスタッドボルト４０５及びナット４０８を介して、洗滌消毒槽４との間に挟持されている。
【０１２６】
このような構成によれば、ヒータ４１０の加温面４１０ｋと反対側の面４１０ｒは、断熱材４２０により覆われているため、ヒータ４１０が発熱した際、反対側の面４１０ｒからヒータの熱が放熱してしまうことが少ない。
【０１２７】
よって、ヒータ４１０の熱を洗滌消毒槽４の消毒液４３０に効率良く伝達することができるため、効率良く消毒液４３０を加温でき、さらには、加温に要する時間を短くすることができる。
【０１２８】
また、洗滌消毒槽４の底面と、ヒータ４１０の加温面４１０ｋ、及びヒータ４１０の加温面４１０ｋと反対側の面４１０ｒと、断熱材４２０の貼着面４２０ｋとは、熱伝導率が高いコンパウンド４５０を介して、密着して貼着されているため、ヒータ４１０の熱を洗滌消毒槽４の消毒液４３０に効率良く伝達することができる。その結果、効率良く消毒液４３０を加温でき、加温に要する時間を短くすることができる。
【０１２９】
さらには、ヒータ４１０の反対側の面４１０ｒから、ヒータの熱の放熱を防止できるため、ヒータ４１０の周囲の部材に熱的な悪影響を与えることがない。
【図面の簡単な説明】
【０１３０】
【図１】本発明の一実施の形態を示す内視鏡洗滌消毒装置の斜視図。
【図２】図１のトップカバーが開成され、洗滌消毒槽に内視鏡が収容自在な状態を示す内視鏡洗滌消毒装置の斜視図。
【図３】図２のテラス部に、内視鏡の内部の管路へ洗滌液，水，アルコール，消毒液等を供給するためのポートを設けた構成を示す部分拡大断面図。
【図４】図３のポートが、槽本体の側面に水平方向に起立するよう設けられている従来の内視鏡洗滌槽の構成を示す部分拡大断面図。
【図５】図３のポートが、槽本体の底面と平行なテラス部の面に垂直方向に起立するよう設けられている従来の内視鏡洗滌槽の構成を示す部分拡大断面図。
【図６】図３のポートを洗滌消毒槽の他の面に配設した変形例を示す部分拡大断面図。
【図７】図３のポートを槽本体の底面と平行なテラス部の面に配設した後、テラス部と槽本体との間に水はけ手段を設けた変形例を示す部分拡大断面図。
【図８】送気送水／鉗子口用ポートと、チューブのコネクタとの接続前の状態を示す分解斜視図。
【図９】送気送水／鉗子口用ポートと、チューブのコネクタとの接続後の状態を示す断面図。
【図１０】内視鏡洗滌装置から側壁を脱却した状態を示す分解斜視図。」
【図１１】図１０の側壁を内視鏡洗滌消毒装置に装着した際の、内視鏡洗滌消毒装置上部における部分拡大断面図。
【図１２】図１０の側壁を内視鏡洗滌消毒装置に装着した際の、側壁に設けられた係止部材付近の部分拡大断面図。
【図１３】洗滌消毒槽の下面に、ヒータ及び断熱材を配設した例を示す断面図。
【図１４】図１３のヒータ及び断熱材を抽出して示した分解斜視図。
【符号の説明】
【０１３１】
１…内視鏡洗滌消毒装置
４…洗滌消毒槽
３３…送気送水／鉗子口用ポート
３４…副送水／鉗子起上用ポート
３５…漏水検知用ポート
３７…送気送水／吸引用管路の開口
３８…送気送水／吸引用管路の開口
４０…処置具挿通用管路の開口
４８…副送水／鉗子起上用管路の開口
５０…槽本体
５０ｓ…槽本体の側面
５０ｔ…槽本体の底面
５１…テラス部
５１ｆ…テラス面の操作者用操作位置に対向する側の面
５１ｔ…テラス面
１００…内視鏡
１５０…チューブ
代理人    弁理士    伊  藤    進
【図１】
2006223590.tif 000003
【図２】
2006223590.tif 000004
【図３】
2006223590.tif 000005
【図４】
2006223590.tif 000006
【図５】
2006223590.tif 000007
【図６】
2006223590.tif 000008
【図７】
2006223590.tif 000009
【図８】
2006223590.tif 000010
【図９】
2006223590.tif 000011
【図１０】
2006223590.tif 000012
【図１１】
2006223590.tif 000013
【図１２】
2006223590.tif 000014
【図１３】
2006223590.tif 000015
【図１４】
2006223590.tif 000016